(57)【要約】【課題】内転筋の緊張を和らげる比較的安価なストレッチベッドを得る。【解決手段】仰向けになった患者１４が載るベッド本体１１と、ベッド本体１１の端部に枢支され患者１４の伸ばした両足の裏に重ね合わせ可能に構成された一対の足裏重合具１２と、患者の伸ばした両足に重ね合わせた状態で一対の足裏重合具を患者の脚方向に傾斜させかつ傾斜させた状態で固定可能に構成された揺動固定手段１３とを備える。ベッド本体１１の両側部に第１右ベルト１６ａと第１左ベルト１６ｂの各一端が接続され、第１右ベルト及び第１左ベルトの他端に両ベルトを締結するバックル１７が設けられ、両ベルトをバックルにより締結することにより患者の両脚をベッド本体に固定可能に構成される。両足を足裏重合具に固定可能に構成された第２ベルト２１が足裏重合具に設けられ、取手２３を有する第３ベルト２２の他端が足裏重合具近傍のベッド本体に取付けられる。【選択図】  図１
2004313560.tif 000002
【特許請求の範囲】
【請求項１】
仰向けになった患者（１４）が載るベッド本体（１１）と、
前記ベッド本体（１１）の端部に枢支され前記患者（１４）の伸ばした両足の裏に重ね合わせ可能に構成された一対の足裏重合具（１２，１２）と、
前記患者（１４）の伸ばした両足に重ね合わせた状態で前記一対の足裏重合具（１２，１２）を前記患者（１４）の脚方向に傾斜させかつ傾斜させた状態で固定可能に構成された揺動固定手段（１３）と
を備えたストレッチベッド。
【請求項２】
ベッド本体（１１）の両側部に第１右ベルト（１６ａ）と第１左ベルト（１６ｂ）の各一端が接続され、前記第１右ベルト（１６ａ）及び第１左ベルト（１６ｂ）の他端に両ベルト（１６ａ，１６ｂ）を締結するバックル（１７）が設けられ、前記両ベルト（１６ａ，１６ｂ）を前記バックル（１７）により締結することにより患者（１４）の両脚を前記ベッド本体（１１）に固定可能に構成された請求項１記載のストレッチベッド。
【請求項３】
患者（１４）の伸ばした両足を一対の足裏重合具（１２，１２）に固定可能に構成された一対の第２ベルト（２１）が前記一対の足裏重合具（１２，１２）に設けられた請求項１又は２記載のストレッチベッド。
【請求項４】
一端に取手（２３）を有する第３ベルト（２２）の他端が一対の足裏重合具（１２，１２）近傍のベッド本体（１１）に取付けられた請求項１ないし３いずれか１項に記載のストレッチベッド。
【請求項５】
一対の足裏重合具（１２，１２）は、中間がベッド本体（１１）に枢支された一対の揺動部材（１２ａ，１２ａ）と、前記一対の揺動部材（１２ａ，１２ａ）に設けられ患者の足の裏に接触する一対の弾性パッド（１２ｂ，１２ｂ）とを備え、
揺動固定手段（１３）は、一端にハンドル（１３ｂ）が設けられ他端側に雄ねじ（１３ｃ）が形成され前記ハンドル（１３ｂ）近傍が前記揺動部材（１２ａ，１２ａ）の下部に回転可能にかつ軸方向に移動不能に設けられた回転軸（１３ａ）と、前記ベッド本体（１１）に設けられ前記雄ねじ（１３ｃ）に螺合する雌ねじ（１３ｄ）とを有する請求項１ないし４いずれか１項に記載のストレッチベッド。
【発明の詳細な説明】
【０００１】
【発明の属する技術分野】
本発明は、主としてＯ脚又はＸ脚を矯正する治療に使用されるストレッチベッドに関するものである。
【０００２】
【従来の技術】
従来、Ｏ脚又はＸ脚を含む変形性膝関節症は、初期の痛みを感じた時点でストレッチを行えば、元の正常な状態又はそれに近い状態に比較的早期に復帰できることが知られている。しかし、係るストレッチを怠ると、膝の変形をくい止めることができず、最後はＯ脚又はＸ脚へと変形してしまう状況下にあった。近年では、Ｏ脚又はＸ脚へと変形してしまった場合の理学療法（運動療法）の手技として、関節モビリゼーションが提案されている。これは、例えば膝痛を訴える患者の場合、患者をベッドに仰臥させ、術者が患者の下腿部を持って長軸方向に牽引することにより関節面に遊び（隙間）を生じさせ、大腿骨を軸心固定して、その状態で下腿部（脛骨）の長軸に対して垂直面方向に回転（ローリング）させることにより、膝関節の病状を改善する理学療法である。
【０００３】
しかし、この手技は、患者の足を所定の力で牽引しながらかつ回転を加えるといった重労働であるので、術者にとって体力的負担が非常に大きかった。この点を解消するために、仰向けになった患者の大腿部を上向傾斜状に支持する大腿部支持手段と、その患者の足首を把持し下腿部を長軸方向に牽引する牽引手段と、脛骨頭部部位を把持し、下腿部の長軸に対して垂直面方向で回転させるローリング手段とを具備する関節理学療法機器が提案されている（例えば、特許文献１参照。）。この機器によれば、牽引手段が牽引すると関節面に遊びが生じ、また、ローリング手段により下腿部の長軸に対し、垂直面方向で回転するので、関節モビリゼーションを労力を要さずして施術できるようになることが期待されている。
【０００４】
【特許文献１】
特開平１１−５６８８８号公報
【０００５】
【発明が解決しようとする課題】
しかし、上述した特許文献１に示された関節理学療法機器では、牽引手段及びローリング手段を駆動するための動力源を必要とし、その機器の設置場所が制限される不具合があった。また牽引手段及びローリング手段が比較的複雑な構造をなしており、機器自体の単価が押し上げられる不具合もあった。
一方、Ｏ脚又はＸ脚は腰椎や骨盤の歪みにより大腿の外側の筋肉（外転筋）と内側の筋肉（内転筋）の働きのアンバランスにより生じることが多く、主として内転筋の緊張を和らげてその働きを正常化させることによりＯ脚又はＸ脚は矯正されることが知られており、主として内転筋の緊張を有効に和らげることのできる比較的安価な機器が求められていた。
本発明の目的は、主として内転筋の緊張を有効に和らげることのできる比較的安価なストレッチベッドを提供することにある。
【０００６】
【課題を解決するための手段】
請求項１に係る発明は、図１及び図２に示すように、仰向けになった患者１４が載るベッド本体１１と、ベッド本体１１の端部に枢支され患者１４の伸ばした両足の裏に重ね合わせ可能に構成された一対の足裏重合具１２，１２と、患者１４の伸ばした両足に重ね合わせた状態で一対の足裏重合具１２，１２を患者１４の脚方向に傾斜させかつ傾斜させた状態で固定可能に構成された揺動固定手段１３とを備えたストレッチベッドである。
この請求項１に係るストレッチベッドでは、ベッド本体１１に患者１４を仰向けに載せて、患者１４の伸ばした両足の裏に一対の足裏重合具１２，１２を重ね合わせ、揺動固定手段１３によりその両足とともに一対の足裏重合具１２，１２を患者１４の脚方向に傾斜させることにより、患者１４の両脚における内転筋を引き延ばしその緊張を和らげることができる。
【０００７】
請求項２に係る発明は、請求項１に係る発明であって、ベッド本体１１の両側部に第１右ベルト１６ａと第１左ベルト１６ｂの各一端が接続され、第１右ベルト１６ａ及び第１左ベルト１６ｂの他端に両ベルト１６ａ，１６ｂを締結するバックル１７が設けられ、両ベルト１６ａ，１６ｂをバックル１７により締結することにより患者１４の両脚をベッド本体１１に固定可能に構成されたストレッチベッドである。
この請求項２に係るストレッチベッドでは、一対の足裏重合具１２，１２を傾斜させて患者１４の両脚における内転筋を引き延ばす際に、患者の両脚が屈折することを防止することができ、患者の内転筋を伸ばしてその緊張を有効に和らげることができる。
【０００８】
請求項３に係る発明は、請求項１又は２に係る発明であって、患者１４の伸ばした両足を一対の足裏重合具１２，１２に固定可能に構成された一対の第２ベルト２１が一対の足裏重合具１２，１２に設けられたストレッチベッドである。
この請求項３に係るストレッチベッドでは、一対の足裏重合具１２，１２を傾斜させる際に、患者の両足が一対の足裏重合具１２，１２から離れることを防止することができ、患者の両足を有効に傾斜させることができる。
請求項４に係る発明は、請求項１ないし３いずれか１項に記載の発明であって、一端に取手２３を有する第３ベルト２２の他端が一対の足裏重合具１２，１２近傍のベッド本体１１に取付けられたストレッチベッドである。
この請求項４に係るストレッチベッドでは、患者１４が第３ベルト２２の一端に取付けられた取手２３をその手に把持し、その取手２３を引っ張るようにして上体を可能な限り起こすことができる。すると、患者１４の内転筋は更に引き延ばされ、更にその緊張を和らげることができる。
【０００９】
請求項５に係る発明は、請求項１ないし４いずれか１項に記載の発明であって、一対の足裏重合具１２，１２は、中間がベッド本体１１に枢支された一対の揺動部材１２ａ，１２ａと、一対の揺動部材１２ａ，１２ａに設けられ患者の足の裏に接触する一対の弾性パッド１２ｂ，１２ｂとを備え、揺動固定手段１３は、一端にハンドル１３ｂが設けられ他端側に雄ねじ１３ｃが形成されハンドル１３ｂ近傍が揺動部材１２ａ，１２ａの下部に回転可能にかつ軸方向に移動不能に設けられた回転軸１３ａと、ベッド本体１１に設けられ雄ねじ１３ｃに螺合する雌ねじ１３ｄとを有するストレッチベッドである。
この請求項５に係るストレッチベッドでは、揺動固定手段１３におけるハンドル１３ｂにより回転軸１３ａを回転させるだけで、ベッド本体１１に設けられた雌ねじ１３ｄと揺動部材１２ａの下部との間隔が変化して足裏重合具１２を傾斜させることができる。従って、動力源を必要としないストレッチベッドを得ることができ、この設置場所に制限が課されることを防止することができる。また、動力源を必要とするモータ等の駆動機器を備えないので、その構造が比較的単純になり、比較的安価に得ることが可能になる。
【００１０】
【発明の実施の形態】
次に本発明の実施の形態を図面に基づいて説明する。
図１〜図４に示すように、本発明のストレッチベッド１０は、ベッド本体１１と一対の足裏重合具１２，１２と揺動固定手段１３とを備える。ベッド本体１１は、４本の脚１１ａが丸鋼棒からなる縦補強部材１１ｂ及び鋼板からなる横補強部材１１ｃにより連結された基台１１ｄと、その基台１１ｄの上部に配置され上面にクッションシートが貼り付けられた天板１１ｅとを有する。そして、天板１１ｅは患者１４より一回り大きく形成され、患者１４（図２）が仰向けになった状態でベッド本体１１に載れるように構成される。ベッド本体１１の両側部に位置する縦補強部材１１ｂには、第１右ベルト１６ａと第１左ベルト１６ｂの各一端が接続される。図２に詳しく示すように、この第１右ベルト１６ａと第１左ベルト１６ｂの各一端は仰向けになった患者１４の脚の両側に位置する縦補強部材１１ｂに接続され、第１右ベルト１６ａ及び第１左ベルト１６ｂの他端には両ベルト１６ａ，１６ｂを締結するバックル１７が設けられる。
【００１１】
図１及び図３に示すように、バックル１７はバックル本体１７ａと舌片１７ｂからなり、この実施の形態では、第１右ベルト１６ａの他端にバックル本体１７ａがその位置を移動可能に設けられ、第１左ベルト１６ｂの他端に舌片１７ｂが設けられる。図３に詳しく示すように、バックル本体１７ａは台座１７ｃにレバー１７ｄが枢支されて構成され、第１右ベルト１６ａの他端が折り返して挿通される３列の孔１７ｅが台座１７ｃに形成される。そして第１右ベルト１６ａの他端における折り返し位置を変更することによりバックル本体１７ａの第１右ベルト１６ａに対する取付位置を変更可能に構成される。一方、舌片１７ｂにはレバー１７ｄの端縁が挿入可能な角孔１７ｆが形成され、舌片１７ｂを台座１７ｃに沿うように挿入してレバー１７ｄの端縁を角孔１７ｆに挿入することによりバックル本体１７ａは舌片１７ｂに係合され、その係合状態におけるバックル１７により両ベルト１６ａ，１６ｂは患者１４の両脚をベッド本体１１に固定可能に構成される。ここで、図３の符号１７ｇは、レバー１７ｄを回転させてそのレバー１７ｄの端縁を舌片１７ｂの角孔１７ｆに挿入するように付勢するコイルスプリングである。
【００１２】
図１に戻って、一対の足裏重合具１２，１２は、患者１４の脚側におけるベッド本体１１の端部にサポート部材１８を介して枢支される。サポート部材１８は略Ｌ字状の鋼板であり、ベッド本体１１における天板１１ｅからは３本のサポート部材１８が突出して設けられる。そして、３本のサポート部材１８の先端には支軸１９がベッド本体１１における天板１１ｅの端縁に平行に架設される。また、この実施の形態における一対の足裏重合具１２，１２は、一対の揺動部材１２ａと、その揺動部材１２ａの上部に設けられた弾性パッド１２ｂとを備える。一対の揺動部材１２ａは断面コ字状に折り曲げた鋼板からなり、揺動部材１２ａはその開口部をベッド本体１１に向けて両側のフランジ部における中間が支軸１９に嵌入される。弾性パッド１２ｂは断面コ字状に折り曲げた鋼板からなる揺動部材１２ａのベッド本体１１に臨む開口部を塞ぐようにその揺動部材１２ａに設けられ、患者１４の足の裏に接触するように構成される。この揺動部材１２ａと弾性パッド１２ｂからなる一対の足裏重合具１２，１２は、弾性パッド１２ｂに患者１４の足の裏が接触することにより、患者１４の伸ばした両足の裏に重ね合わせ可能に構成される。
【００１３】
一対の足裏重合具１２，１２には一対の第２ベルト２１が設けられる。第２ベルト２１は第２右ベルト２１ａと第２左ベルト２１ｂからなり、第２右ベルト２１ａと第２左ベルト２１ｂの各一端が患者１４の足の甲に位置する揺動部材１２ａの両側におけるフランジ部に接続される。第２右ベルト２１ａ及び第２左ベルト２１ｂの他端には両ベルトを締結する面ファスナ２１ｃが設けられる（図１）。面ファスナ２１ｃが互いに係合した状態で両ベルト２１ａ，２１ｂは締結され、第２右ベルト２１ａと第２左ベルト２１ｂの各他端が締結された第２ベルト２１は、図２に示すように、患者１４の伸ばした両足を一対の足裏重合具１２，１２に固定可能に構成される。
【００１４】
また、支軸１９は両外側に位置するサポート部材１８から突出して設けられ、突出した支軸１９には第３ベルト２２が取り付けられる。この第３ベルト２２の一端には取手２３が取付けられ、他端が支軸１９及びサポート部材１８を介して足裏重合具１２近傍のベッド本体１１に取付けられる。第３ベルト２２は図２に示すように、仰向けになった患者１４が取手２３を把持できる長さに調整される。
【００１５】
図１に示すように、揺動固定手段１３はベッド本体１１の長手方向に延びる回転軸１３ａを有し、その一端にはハンドル１３ｂが設けられる。回転軸１３ａの他端側には雄ねじ１３ｃが形成され、ハンドル１３ｂ近傍が揺動部材１２ａの下部に回転可能にかつ軸方向に移動不能に設けられる。揺動固定手段１３は、回転軸１３ａに形成された雄ねじ１３ｃに螺合する雌ねじ１３ｄを更に有する。雌ねじ１３ｄはベッド本体１１の横補強部材１１ｃに立設された支持部材１１ｆに傾動可能に設けられ、回転軸１３ａが回転することにより雌ねじ１３ｄと揺動部材１２ａの下部との間隔が変更され足裏重合具１２が傾斜可能に構成される。そして、一対の足裏重合具１２，１２を患者１４の伸ばした両足に重ね合わせた状態で、揺動固定手段１３はその一対の足裏重合具１２，１２を患者１４の脚方向に傾斜させかつ傾斜させた状態で固定可能に構成される。
【００１６】
次に、このように構成されたをストレッチベッド１０の使用方法を説明する。
図２に示すように、先ず、患者１４は仰向けになった状態でベッド本体１１に載る。そして、患者１４の伸ばした両足の裏を弾性パッド１２ｂに接触させて、その患者１４の足の裏を一対の足裏重合具１２，１２に重ね合わせる（図４）。次に、第２右ベルト２１ａ及び第２左ベルト２１ｂの他端に設けられた面ファスナ２１ｃを互いに係合させ、その第２右ベルト２１ａと第２左ベルト２１ｂの各他端が締結された第２ベルト２１により、患者１４の伸ばした両足を一対の足裏重合具１２，１２に固定させる。次に、患者１４の両脚の上で、舌片１７ｂをバックル本体１７ａに挿入し、このバックル１７により第１右ベルト１６ａ及び第１左ベルト１６ｂの他端を締結する。そして、第１右ベルト１６ａの他端を引っ張ることによりその折り返し位置を変更し、バックル本体１７ａの取付位置を変更させて両ベルト１６ａ，１６ｂにより、患者１４の両脚をベッド本体１１に固定させる。
【００１７】
次に、揺動固定手段１３におけるハンドル１３ｂにより回転軸１３ａを回転させて、ベッド本体１１に設けられた雌ねじ１３ｄと揺動部材１２ａの下部との間隔を変化させ、足裏重合具１２を患者１４の脚方向に傾斜させる。すると図５に示すように、患者１４の両足も一対の足裏重合具１２，１２とともに患者１４の脚１１ａ方向に傾斜し、患者１４の内転筋は引き延ばされる。このように足裏重合具１２を傾斜させた状態で回転軸１３ａの回転を停止し、その足裏重合具１２を傾斜した状態で固定する。次に、患者１４は第３ベルト２２の一端に取付けられた取手２３をその手に把持し、その取手２３を引っ張るようにして上体を可能な限り起立させる。すると患者１４の両脚１１ａは第１ベルトによりベッド本体１１に固定されているので、患者１４の内転筋は更に引き延ばされる。内転筋は引き延ばされることによりその緊張を和らげる。このようにして、本発明のストレッチベッド１０により内転筋の緊張を定期的に和らげてあげることにより、その働きは徐々に正常化し、患者１４のＯ脚又はＸ脚は徐々に矯正される。
【００１８】
即ち、このストレッチベッド１０は、第１及び第２ベルト２１により患者１４の両足及び両脚を固定し、揺動固定手段１３により一対の足裏重合具１２，１２とともに患者１４の両足を脚方向に傾斜させることにより、主として内転筋を引き延ばしその緊張を和らげる。このように内転筋の緊張を定期的に和らげてあげることにより、内転筋の働きを徐々に正常化させてＯ脚又はＸ脚を矯正させるものである。そして、揺動固定手段１３は、回転軸１３ａと、ベッド本体１１に設けられた雌ねじ１３ｄにより構成されるので、このストレッチベッド１０は動力源を必要としない。従って、このストレッチベッド１０の設置場所に制限が課されることはない。更に、動力源を必要とするモータ等の駆動機器を備えていないので、その構造が比較的単純になり、比較的安価に得ることが可能になる。
【００１９】
【発明の効果】
以上述べたように、本発明によれば、ベッド本体と、一対の足裏重合具と、揺動固定手段とを備えたので、ベッド本体に患者を仰向けに載せて、患者の伸ばした両足の裏に一対の足裏重合具を重ね合わせ、揺動固定手段によりその両足とともに一対の足裏重合具を患者の脚方向に傾斜させることにより、患者の両脚における内転筋を引き延ばしその緊張を和らげることができる。また、ベッド本体の両側部に第１右ベルトと第１左ベルトの各一端を接続し、両ベルトの他端にその他端を締結するバックルを設ければ、両ベルトをバックルにより締結することにより患者の両脚をベッド本体に固定することができ、患者の両脚における内転筋を引き延ばす際に、患者の両脚が屈折することを防止することができる。
【００２０】
また、患者の伸ばした両足を一対の足裏重合具に固定可能に構成された一対の第２ベルトを一対の足裏重合具に設ければ、一対の足裏重合具を傾斜させる際に、患者の両足が一対の足裏重合具から離れることを防止することができ、一端に取手を有する第３ベルトの他端を一対の足裏重合具近傍のベッド本体に取付ければ、患者がその取手を把持して引っ張り、上体を可能な限り起こすようにすれば、患者の内転筋は更に引き延ばされ、更にその緊張を和らげることができる。
更に、揺動固定手段として、一端にハンドルが設けられ他端側に雄ねじが形成されハンドル近傍が揺動部材の下部に回転可能にかつ軸方向に移動不能に設けられた回転軸と、ベッド本体に設けられその雄ねじに螺合する雌ねじとにより構成すれば、動力源を必要としないストレッチベッドを得ることができ、この設置場所に制限が課されることを防止することができる。また、動力源を必要とするモータ等の駆動機器を備えないので、その構造が比較的単純になり、比較的安価に得ることが可能になる。
【図面の簡単な説明】
【図１】本発明のストレッチベッドの主要部を示す斜視図。
【図２】そのベッドの患者が載った状態を示す上面図。
【図３】そのバックルの構造を示す断面図。
【図４】その患者の伸ばした両足の裏に足裏重合具が重ね合った状態を示す側面図。
【図５】その患者の両足が足裏重合具とともに脚方向に傾斜した状態を示す図４に対応する側面図。
【符号の説明】
１０  ストレッチベッド
１１  ベッド本体
１２  足裏重合具
１２ａ  揺動部材
１２ｂ  弾性パッド
１３  揺動固定手段
１３ａ  回転軸
１３ｂ  ハンドル
１３ｃ  雄ねじ
１３ｄ  雌ねじ
１４  患者
１６ａ  第１右ベルト
１６ｂ  第１左ベルト
１７  バックル
２１  第２ベルト
２２  第３ベルト
２３  取手
【図１】
2004313560.tif 000003
【図２】
2004313560.tif 000004
【図３】
2004313560.tif 000005
【図４】
2004313560.tif 000006
【図５】
2004313560.tif 000007